(57)【特許請求の範囲】
【請求項１】
電気回路基板に設けられたスルーホールに挿入されて該電気回路基板に電子部品を保持する、板の曲げ加工により形成された保持部材において、
前記電子部品に固定される板状の基部と、
前記基部から延びて前記スルーホールに挿入され、該スルーホールに挿入される挿入方向に対し横向きかつ外向きに突出し挿入後に該スルーホールの縁に係止される係止部を有する第１の脚部と、
前記基部からほぼ直角に折れ曲がり、前記スルーホールへの挿入の向きに延びた第２の脚部であって、該スルーホールに前記第１の脚部とともに挿入され、前記第１の脚部と対面する面の裏面が該スルーホールの内面と接触して弾性変形する第２の脚部とを備え、
前記裏面は前記板の板厚よりも大きな幅を有するものであり、
前記第２の脚部は、弾性変形して、前記第１の脚部を対面側の内面に向けて押し付け、挿入後に前記係止部を該スルーホールの縁に係止した状態に弾性的に保持するものであることを特徴とする保持部材。
【請求項２】
前記第１の脚部が、該第１の脚部の先端部分に、前記第２の脚部の先端よりもさらに先端側の、該第２の脚部の先端と対面した位置まで延在し、該第２の脚部の、該先端側への伸びを規制する規制部を有するものであることを特徴とする請求項１記載の保持部材。
【請求項３】
前記第２の脚部が、前記基部から前記スルーホールへの挿入の向きに延び、前記第１の脚部に向けて折れ曲がり、該第１の脚部に近接した点から折り返し、ほぼ円弧状に、該第１の脚部から一旦離れて、先端が該第１の脚部に再び近接する位置まで延びた形状を有するものであることを特徴とする請求項１または２記載の保持部材。
【請求項４】
当該保持部材は、表面が溶融はんだによって濡れる金属製であることを特徴とする請求項１、２または３記載の保持部材。
【請求項５】
スルーホールが設けられた電気回路基板と、
前記スルーホールに挿入された脚部を有し、前記電気回路基板に電子部品を保持させる、板の曲げ加工により形成された保持部材と、
前記脚部が挿入された状態の前記スルーホールを埋めて前記電気回路基板に前記保持部材を固定するはんだとを備えた実装構造であって、
前記保持部材は、
前記電子部品に固定される板状の基部と、
前記基部から延びて前記スルーホールに挿入され、該スルーホールに挿入される挿入方向に対し横向きかつ外向きに突出し挿入後に該スルーホールの縁に係止される係止部を有する第１の脚部と、
前記基部からほぼ直角に折れ曲がり、前記スルーホールへの挿入の向きに延びた第２の脚部であって、該スルーホールに前記第１の脚部とともに挿入され、前記第１の脚部と対面する面の裏面が該スルーホールの内面と接触して弾性変形する第２の脚部とを備え、
前記裏面は前記板の板厚よりも大きな幅を有するものであり、
前記第２の脚部は、弾性変形して、前記第１の脚部を対面側の内面に向けて押し付け、挿入後に前記係止部を該スルーホールの縁に係止した状態に弾性的に保持するものであること特徴とする実装構造。
【請求項６】
スルーホールが設けられた電気回路基板に保持される電子部品であって、
前記スルーホールに挿入される脚部を有し、前記電気回路基板に前記電子部品を保持させる、板の曲げ加工により形成された保持部材を備え、
前記保持部材は、
前記電子部品に固定される板状の基部と、
前記基部から延びて前記スルーホールに挿入され、該スルーホールに挿入される挿入方向に対し横向きかつ外向きに突出し挿入後に該スルーホールの縁に係止される係止部を有する第１の脚部と、
前記基部からほぼ直角に折れ曲がり、前記スルーホールへの挿入の向きに延びた第２の脚部であって、該スルーホールに前記第１の脚部とともに挿入され、前記第１の脚部と対面する面の裏面が該スルーホールの内面と接触して弾性変形する第２の脚部とを備え、
前記裏面は前記板の板厚よりも大きな幅を有するものであり、
前記第２の脚部は、弾性変形して、前記第１の脚部を対面側の内面に向けて押し付け、挿入後に前記係止部を該スルーホールの縁に係止した状態に弾性的に保持するものであること特徴とする電子部品。
【発明の詳細な説明】
【技術分野】
【０００１】
本発明は、電気回路基板に設けられたスルーホールに挿入されて電気回路基板に電子部品を保持する保持部材、このような保持部材が電気回路基板に実装された実装構造、およびこのような保持部材を備えた電子部品に関する。
【背景技術】
【０００２】
従来より、例えばコネクタのような電子部品を電気回路基板に実装する技術として、電子部品に取り付けた保持部材を電気回路基板に形成されたスルーホールに押し込むことによって電気回路基板に電子部品を保持する技術が知られている。また、電子部品を電気回路基板に強固に固定するために、保持部材は、電気回路基板にはんだ付けされる場合がある。
【０００３】
このような保持部材として、例えば、金属板を打抜き加工して形成された平面的な保持部材を面内方向において弾性変形させてスルーホールに押し込む技術が提案されている（例えば、特許文献１および特許文献２参照。）。この保持部材は、コネクタに固定される頭部から二股状に延びる一対の脚部それぞれの両外側に引掛り部が設けられた形状を有している。保持部材の脚部が電気回路基板のスルーホールに押し込まれると、引掛り部が、電気回路基板のスルーホールを貫通して、電気回路基板に引っ掛かる。従って、コネクタに固定した保持部材がスルーホールに押し込まれただけでまだはんだ付けされていない状態であってもそのコネクタは保持部材によって電気回路基板から脱落しないよう保持される。しかしながら、この保持部材は平面的であり、一対の脚部は面内方向のみに弾性変形するようにされていることから、板厚方向に弾性変位可能なようにされているばねに比べて、弾性変形させるために大きな力を要し、ばね定数を小さくし難い。しかも、弾性変形量が小さく、塑性変形に至らない範囲が狭い。このため、金属板を打抜き加工してなる一対の脚部の切断面が、押し込む際にスルーホール内面に強く接触することとなり、スルーホール内面を損傷してしまうおそれがある。
【０００４】
このような問題に対処した保持部材として、例えば、コネクタに固定される板状の基部からほぼ同じ向きに延び、板厚方向に弾性変位可能な広幅のばね片を有する、互いに対向する一対の脚部を備えた保持部材が提案されている（例えば、特許文献３参照。）。この保持部材は、スルーホールに押し込まれたときに、一対の脚部が板厚方向に弾性変形する。そして、この保持部材は、スルーホールに押し込まれただけでまだはんだ付けされていない状態で、一対の脚部の外面がスルーホール内面に面接触することによって電気回路基板から脱落しないよう保持される。また、この保持部材によれば、スルーホールに押し込む際にその一対の脚部の外面がスルーホール内面にソフトに面接触することから、スルーホール内面の損傷が防止される。ところが、この保持部材は、脚部の弾性（ばね定数）を大きくすることが困難であるという短所を有する。従って、この保持部材は、スルーホールに押し込まれただけでまだはんだ付けされていない状態における保持力が小さい。そのため、例えば、その状態でコネクタをロボットで掴んで移動させるハンドリング時や、その状態でこの保持部材が強く引っ張られたときなどに、保持部材の脚部がスルーホールから抜けてしまうおそれがある。
【特許文献１】実開平６−６２４８６号公報
【特許文献２】米国特許第５５２９５１４号明細書
【特許文献３】特開２００７−１２８７７２号公報
【発明の開示】
【発明が解決しようとする課題】
【０００５】
本発明は、上記事情に鑑み、スルーホール内面を損傷することなく、スルーホールに挿入されただけでまだはんだ付けされていない状態で脚部がスルーホールから抜けてしまうことを防止した保持部材、このような保持部材が電気回路基板に実装された実装構造、およびこのような保持部材を備えた電子部品を提供することを目的とするものである。
【課題を解決するための手段】
【０００６】
上記目的を達成する本発明の保持部材は、
電気回路基板に設けられたスルーホールに挿入されてその電気回路基板に電子部品を保持する保持部材であって、
上記電子部品に固定される板状の基部と、
上記基部から延びて上記スルーホールに挿入され、このスルーホールに挿入される挿入方向に対し横向きかつ外向きに突出し挿入後にこのスルーホールの縁に係止される係止部を有する第１の脚部と、
上記基部から延び上記スルーホールに上記第１の脚部とともに挿入されこのスルーホールの内面と接触して弾性変形し、上記第１の脚部を対面側の内面に向けて押し付け、挿入後に上記係止部をこのスルーホールの縁に係止した状態に弾性的に保持する第２の脚部とを備えたこと特徴とする。
【０００７】
本発明の保持部材は、スルーホールに挿入される第１の脚部が、挿入方向に対し横向きかつ外向きに突出し挿入後にスルーホールの縁に係止される係止部を有する。また、本発明の保持部材は、第１の脚部とともにスルーホールに挿入される第２の脚部が、スルーホールに挿入されるときにスルーホールの内面と接触して弾性変形し、第１の脚部を対面側の内面に向けて押し付ける。従って、本発明の保持部材によれば、スルーホール内面を損傷することがない。また、この第２の脚部は、スルーホールへの挿入後に、第１の脚部の係止部をスルーホールの縁に係止した状態に弾性的に保持する。従って、本発明の保持部材によれば、スルーホールに挿入されただけでまだはんだ付けされていない状態で、スルーホールの縁に係止される係止部によって電気回路基板から脱落しないよう保持され、第１の脚部および第２の脚部がスルーホールから抜けてしまうことが防止される。
【０００８】
ここで、本発明の保持部材は、上記第１の脚部が、この第１の脚部の先端部分に、上記第２の脚部の先端よりもさらに先端側の、その第２の脚部の先端と対面した位置まで延在し、その第２の脚部の、その先端側への伸びを規制する規制部を有するものであることが好ましい。
【０００９】
このような規制部を有する保持部材によれば、第１の脚部および第２の脚部がスルーホールに挿入されるときに弾性変形する第２の脚部が、その挿入時に過度に変形してしまって、挿入後に復元不可能となることが防止される。
【００１０】
また、本発明の保持部材は、上記第２の脚部が、上記基部から上記スルーホールへの挿入の向きに延び、上記第１の脚部に向けて折れ曲がり、その第１の脚部に近接した点から折り返し、ほぼ円弧状に、その第１の脚部から一旦離れて、先端がその第１の脚部に再び近接する位置まで延びた形状を有するものであることも好ましい形態である。
【００１１】
さらに、本発明の保持部材は、当該保持部材は、表面が溶融はんだによって濡れる金属製であることが好ましい。
【００１２】
このような好ましい形態によれば、はんだフロー工程で、溶融はんだが、スルーホール内に上昇し易い。
【００１３】
また、上記目的を達成する本発明の実装構造は、
スルーホールが設けられた電気回路基板と、
上記スルーホールに挿入された脚部を有し、上記電気回路基板に電子部品を保持させる保持部材と、
上記脚部が挿入された状態の上記スルーホールを埋めて上記電気回路基板に上記保持部材を固定するはんだとを備えた実装構造であって、
上記保持部材は、
上記電子部品に固定される板状の基部と、
上記基部から延びて上記スルーホールに挿入され、このスルーホールに挿入される挿入方向に対し横向きかつ外向きに突出し挿入後にこのスルーホールの縁に係止される係止部を有する第１の脚部と、
上記基部から延び上記スルーホールに上記第１の脚部とともに挿入されこのスルーホールの内面と接触して弾性変形し、上記第１の脚部を対面側の内面に向けて押し付け、挿入後に上記係止部をこのスルーホールの縁に係止した状態に弾性的に保持する第２の脚部とを備えたものであること特徴とする。
【００１４】
本発明の実装構造は、本発明の保持部材を有する実装構造であるため、その保持部材の利点と同様に、保持部材を電気回路基板にはんだ付けして実装するにあたって、スルーホール内面を損傷することがなく、スルーホールに挿入されただけでまだはんだ付けされていない状態で、スルーホールの縁に係止される係止部によって電気回路基板から脱落しないよう保持され、第１の脚部および第２の脚部がスルーホールから抜けてしまうことが防止される。
【００１５】
また、上記目的を達成する本発明の電子部品は、
スルーホールが設けられた電気回路基板に保持される電子部品であって、
上記スルーホールに挿入される脚部を有し、上記電気回路基板に上記電子部品を保持させる保持部材を備え、
上記保持部材は、
上記電子部品に固定される板状の基部と、
上記基部から延びて上記スルーホールに挿入され、このスルーホールに挿入される挿入方向に対し横向きかつ外向きに突出し挿入後にこのスルーホールの縁に係止される係止部を有する第１の脚部と、
上記基部から延び上記スルーホールに上記第１の脚部とともに挿入されこのスルーホールの内面と接触して弾性変形し、上記第１の脚部を対面側の内面に向けて押し付け、挿入後に上記係止部をこのスルーホールの縁に係止した状態に弾性的に保持する第２の脚部とを備えたものであること特徴とする。
【００１６】
本発明の電子部品は、本発明の保持部材を有する電子部品であるため、その保持部材の利点と同様に、スルーホール内面を損傷することがなく、スルーホールに挿入されただけでまだはんだ付けされていない状態で、スルーホールの縁に係止される係止部によって電気回路基板から脱落しないよう保持され、第１の脚部および第２の脚部がスルーホールから抜けてしまうことが防止される。
【発明の効果】
【００１７】
本発明によれば、スルーホール内面を損傷することなく、スルーホールに挿入されただけでまだはんだ付けされていない状態で脚部がスルーホールから抜けてしまうことを防止した保持部材、このような保持部材が電気回路基板に実装された実装構造、およびこのような保持部材を備えた電子部品が提供される。
【発明を実施するための最良の形態】
【００１８】
以下、図面を参照して本発明の実施の形態を説明する。
【００１９】
図１〜図４は、本発明の保持部材についての一実施形態である保持部材１が電気回路基板５０に設けられたスルーホール５１に挿入される過程を示す図である。図１〜図４において、図１（ａ），図２（ａ），図３（ａ），図４（ａ）は斜視図、図１（ｂ），図２（ｂ），図３（ｂ），図４（ｂ）は縦断面図である。
【００２０】
電気回路基板５０には、あらかじめスルーホール５１が形成されており、スルーホール５１の内面およびスルーホール５１近傍の電気回路基板５０上には、図示しない銅めっき層が形成されている。電気回路基板５０の典型的な厚さは、１．２ｍｍ〜１．６ｍｍである。
【００２１】
保持部材１は、電気回路基板５０に設けられたスルーホール５１に実装面５０ａ側から挿入されて電気回路基板５０にコネクタを保持するものである。保持部材１は、銅合金、例えば真ちゅう製の板が、打抜き、印圧及び曲げ加工されることにより形成されている。また、保持部材１には、表面が溶融はんだによって濡れるように、例えば錫めっき処理が施されている。尚、保持部材１のめっき処理は、錫めっき処理に限らず、例えばはんだめっき処理や金めっき処理などでもよい。保持部材１は、基部１０と、第１の脚部２０と、第２の脚部３０とから構成されている。
【００２２】
基部１０は、矩形状の一辺から下向きに突出した突出部１６を有する。基部１０の側縁１１には、突起１２が設けられている。基部１０は、コネクタの絶縁ハウジングの側面に設けられた溝に圧入されて固定される。突起１２は抜止めのためのものである。また、基部１０の上端の折曲部１４には、突起１５が設けられている。この突起１５も、突起１２と同様に抜止めのためのものであって、コネクタの絶縁ハウジングへの取付け方に応じて、突起１２と突起１５のいずれを用いても良い。また、基部１０には、曲げモーメントに対する強度を高めるためのリブ１３が、印圧加工により形成されている。基部１０のうちの、矩形状の一辺から下向きに突出した突出部１６からは、第１の脚部２０および第２の脚部３０が、互いにほぼ同じ向きに延びている。
【００２３】
第１の脚部２０は、電気回路基板５０に設けられたスルーホール５１に、スルーホール５１の内面に押し付けられながら挿入される部分である。この第１の脚部２０は、スルーホール５１に挿入される挿入方向に対し横向きかつ外向きに突出し挿入後にスルーホール５１の縁に引っ掛かる係止部２１を有する。また、この第１の脚部２０は、第１の脚部２０の先端部分に、第２の脚部３０の先端３１よりもさらに先端側の、第２の脚部３０の先端３１と対面した位置まで延び、第２の脚部３０の、先端側への伸びを規制する規制部２２を有する。
【００２４】
第２の脚部３０は、スルーホール５１に第１の脚部２０とともに挿入されるものである。この第２の脚部３０は、突出部１６の他端側からほぼ直角に折り曲げられてスルーホールへの挿入の向きに延び、第１の脚部２０に向けてほぼ直角に折れ曲がり、第１の脚部２０に近接した点から折り返し、ほぼ円弧状に、第１の脚部２０から一旦離れて、先端３１が第１の脚部２０の規制部２２に再び近接する位置まで延びた形状を有する。このほぼ円弧状部分はばねである。また、この第２の脚部３０の幅、すなわち、スルーホール５１の内面と接触する部分である、第１の脚部２０と対面する面に対する裏面の幅は、板厚よりも大きな幅を有する。そのため、第２の脚部３０は、スルーホール５１に挿入されるときに、上記裏面がスルーホール５１の内面と接触して弾性変形し、第１の脚部２０を対面側の内面に向けて押し付け、挿入後に係止部２１をスルーホール５１の縁に引っ掛かった状態に弾性的に保持する。
【００２５】
本実施形態の保持部材１によれば、スルーホール５１内面を損傷することなく、スルーホール５１に挿入されただけでまだはんだ付けされていない状態で、スルーホール５１の縁に引っ掛かる係止部２１によって電気回路基板５０から脱落しないよう保持され、第１の脚部２０および第２の脚部３０がスルーホール５１から抜けてしまうことが防止される。
【００２６】
また、本実施形態の保持部材１によれば、規制部２２を有することから、第１の脚部２０および第２の脚部３０がスルーホール５１に挿入されるときに弾性変形する第２の脚部３０が、その挿入時に過度に変形してしまって、挿入後に復元不可能となることが防止される。
【００２７】
また、本実施形態の保持部材１は、第１の脚部２０が、挿入後にスルーホール５１の縁に引っ掛かる係止部２１を有し、第２の脚部３０が、挿入後に係止部２１をスルーホール５１の縁に引っ掛かった状態に弾性的に保持するといったように、一対をなす第１の脚部２０および第２の脚部３０が機能を分担し合うように構成されている。そのため、本実施形態の保持部材１は、第２の脚部３０が過度に変形（塑性変形）し難いといった利点を有する。
【００２８】
スルーホール５１に挿入された保持部材１は、はんだフロー工程において、コネクタの端子と共に電気回路基板５０にはんだ付けされる。
【００２９】
続いて、保持部材１が電気回路基板５０にはんだにより固定された実装構造を、はんだフロー工程によりはんだ付けが行われる過程とともに説明する。
【００３０】
図５は、上述の保持部材１が、はんだによって電気回路基板５０に固定された実装構造６０を示す図である。
【００３１】
また、図５は、保持部材１が電気回路基板５０にはんだによって固定された実装構造６０を示すと同時に、はんだフロー工程で、溶融はんだが電気回路基板５０と保持部材１とに付着する様子も示している。ここで、はんだフロー工程での溶融状態にあるはんだ、および固化した状態にあるはんだの双方に同一の符号６１を付して説明する。
【００３２】
はんだフロー工程では、保持部材１がスルーホール５１に挿入された状態で、電気回路基板５０のはんだ面５０ｂが、溶融はんだ６１に浸される。すると、スルーホール５１の内面５１ａおよびスルーホール５１近傍の実装面５０ａに形成されている銅めっき層（図示しない）と、保持部材１とが、いずれも溶融はんだ６１で濡れる。溶融はんだ６１は、第１の脚部２０および第２の脚部３０の表面およびスルーホール５１の内面５１ａを伝って、スルーホール５１内を上昇する。また、溶融はんだ６１は、毛細管現象によっても吸い上げられる。やがて、スルーホール５１内に吸い上げられた溶融はんだ６１は、第１の脚部２０および第２の脚部３０の表面を伝って上昇する。
【００３３】
この結果、図５に示すように、溶融はんだ６１は、スルーホール５１を完全に埋め、さらに、スルーホール５１から電気回路基板５０の実装面５０ａ上に吸い上げられる。そして、電気回路基板５０の実装面５０ａ上には、第１の脚部２０および第２の脚部３０と、電気回路基板５０の実装面５０ａとにまたがるはんだフィレットが形成される。
【００３４】
実装構造６０は、はんだフロー工程の後に、溶融はんだ６１が冷えて固化することにより形成される。電気回路基板５０のはんだ面５０ｂ上には、はんだ６１により、第１の脚部２０および第２の脚部３０と、はんだ面５０ｂとにまたがるはんだフィレットが形成され、さらに、実装面５０ａ上にも、第１の脚部２０および第２の脚部３０と、実装面５０ａとにまたがるはんだフィレットが形成されている。なお、図５に示す実装構造６０が、本発明の実装構造の一例に相当する。
【００３５】
本実施形態の実装構造６０によれば、電気回路基板５０と、保持部材１の第１の脚部２０および第２の脚部３０とが、相互にはんだ付けされるため、保持部材１が、電気回路基板５０に強固に固定される。つまり、保持部材１を備えるコネクタは、はんだ付け工程を経ることによって電気回路基板５０に強固に固定される。
【００３６】
続いて、保持部材により電気回路基板に保持されるコネクタについて説明する。
【００３７】
図６および図７は、本発明の電子部品の一実施形態であるコネクタ８０を示す図である。図６はコネクタ８０を斜め後方から見た斜視図である。また、図７において、（ａ）は側面図であり、（ｂ）は正面図である。
【００３８】
コネクタ８０は、電子機器に内蔵される電気回路基板に実装され、対となる他のコネクタ（図示しない）と嵌合することにより、電気回路基板上の回路と、他の回路とを電気的に接続するものである。
【００３９】
コネクタ８０は、上述した保持部材１と、電気回路基板上の回路と接続するコンタクト８１と、保持部材１およびコンタクト８１を固定するハウジング８２とを備えている。保持部材１の基部１０が、コネクタ８０に設けられた溝８３に圧入されることで、保持部材１がコネクタ８０に取付けられる。
【００４０】
図８は、図６および図７に示すコネクタ８０が、電気回路基板５０に保持された状態を示す図である。
【００４１】
保持部材１がスルーホール５１に挿入されることにより、コネクタ８０が、電気回路基板５０に保持される。この状態の電気回路基板５０がはんだフロー工程を経ると、保持部材１は、電気回路基板５０にはんだ付けされる。
【００４２】
本実施形態のコネクタ８０によれば、スルーホール５１内面を損傷することなく、スルーホール５１に挿入されただけでまだはんだ付けされていない状態で、スルーホール５１の縁に引っ掛かる係止部２１によって電気回路基板５０から脱落しないよう保持される。すなわち、第１の脚部２０および第２の脚部３０がスルーホール５１から抜けてしまうことが防止される。
【００４３】
尚、本実施形態では、本発明の電子部品の一例としてコネクタ８０を説明したが、本発明は、これに限るものではなく、保持部材により電気回路基板に保持される他の電子部品にも適用される。
【００４４】
また、本実施形態のコネクタ８０については、まず、コネクタ８０に保持部材１が取付けられた後に、はんだフロー工程においてはんだ付けされる例を説明したが、本発明はこれに限るものではない。例えば、まず図５に示すように、保持部材１が電気回路基板５０にはんだ付けされた後に、保持部材１がコネクタ８０に固定されることとしてもよい。
【００４５】
また、本実施形態では、はんだフロー工程によりはんだ付けされる例を説明したが、本発明は、これに限るものではない。はんだ付けは、例えば、はんだペーストをスルーホール内に予め充填することにより、はんだリフロー工程で行うことや、半田ごてによるはんだ付け（いわゆる手はんだ）工程で行うことも可能である。
【００４６】
また、本実施形態では、保持部材１は、錫めっき処理が施された真ちゅう製であるとして説明したが、本発明はこれに限るものではない。保持部材は、表面が溶融はんだによって濡れる金属製であればよく、例えば、本実施形態の保持部材のように真ちゅうなどといった銅合金製であれば、錫めっき処理を省略することができる。
【図面の簡単な説明】
【００４７】
【図１】本発明の保持部材についての一実施形態である保持部材が電気回路基板に設けられたスルーホールに挿入される過程を示す斜視図および縦断面図である。
【図２】本発明の保持部材についての一実施形態である保持部材が電気回路基板に設けられたスルーホールに挿入される過程を示す斜視図および縦断面図である。
【図３】本発明の保持部材についての一実施形態である保持部材が電気回路基板に設けられたスルーホールに挿入される過程を示す斜視図および縦断面図である。
【図４】本発明の保持部材についての一実施形態である保持部材が電気回路基板に設けられたスルーホールに挿入される過程を示す斜視図および縦断面図である。
【図５】はんだフロー工程により、保持部材が電気回路基板にはんだにより固定された実装構造を示す断面図である。
【図６】本発明の電子部品の一実施形態であるコネクタを示す斜視図である。
【図７】本発明の電子部品の一実施形態であるコネクタを示す側面図および正面図である。
【図８】図５および図６に示すコネクタが、電気回路基板に保持された状態を示す図である。
【符号の説明】
【００４８】
１    保持部材
１０    基部
１１    側縁
１２    突起
１３    リブ
１４    折曲部
１５    突起
１６    突出部
２０    第１の脚部
２１    係止部
２２    規制部
３０    第２の脚部
３１    先端
５０    電気回路基板
５０ａ    実装面
５０ｂ    はんだ面
５１    スルーホール
５１ａ    内面
６０    実装構造
６１    溶融はんだ、はんだ
８０    コネクタ
８１    コンタクト
８２    ハウジング
８３    溝
【図１】
0005117872.tif 000002
【図２】
0005117872.tif 000003
【図３】
0005117872.tif 000004
【図４】
0005117872.tif 000005
【図５】
0005117872.tif 000006
【図６】
0005117872.tif 000007
【図７】
0005117872.tif 000008
【図８】
0005117872.tif 000009